(57)【要約】      （修正有）【課題】堅牢で強固な立体物を構成でき、組み立てられた立体物を長期に渡って使用可能な立体模型組立キットを提供する。【解決手段】本立体模型組立キットは、軸方向に相対的に移動させて組み付け交叉する芯部を構成する複数の芯部構成用板状体２，３と、軸方向に交叉する方向に沿って芯部構成用板状体２，３に組み付けられる複数の側部構成板状体４，５，６と、複数の側部構成板状体４，５，６に渡って組み付けられる係止用板状体７とを有している。【選択図】図２
0003170111.tif 000002
【実用新案登録請求の範囲】
【請求項１】
軸方向に相対的に移動させて組み付け交叉する芯部を構成する複数の芯部構成用板状体と、軸方向に交叉する方向に沿って前記芯部構成用板状体に組み付けられる複数の側部構成板状体と、複数の前記側部構成板状体に渡って組み付けられる係止用板状体を有していることを特徴とする立体模型組立キット。
【請求項２】
前記側部構成板状体は、異なる方向から重なるように前記芯部構成用板状体に組み付けられるものである請求項１に記載の立体模型組立キット。
【請求項３】
前記芯部構成用板状体は直交する芯部を構成し、前記側部構成板状体は、軸方向に対して直交する方向に前記芯部構成用板状体に組み付けられ、前記係止用板状体は、前記側部構成板状体の延在方向に対して直交する方向に組み付けられるものである請求項１または２に記載の立体模型組立キット。
【請求項４】
前記複数の係止用板状体は、それぞれ軸に向かって組み付けられると共に軸を中心として等角度離間して組み付けられるものである請求項１ないし３のいずれかに記載の立体模型組立キット。
【請求項５】
前記立体模型組立キットによって組み立てられる立体模型は、外形が球形である請求項３または４に記載の立体模型組立キット。
【請求項６】
前記立体模型組立キットは、前記芯部構成用板状体、前記側部構成板状体および前記係止用板状体がそれぞれ打ち抜き加工された段ボール紙にて形成されている請求項１ないし５のいずれかに記載の立体模型組立キット。
【請求項７】
前記芯部構成用板状体、前記側部構成板状体および前記係止用板状体は段ボール紙を２つ折りして組立部材が形成されるものである請求項１ないし６のいずれかに記載の立体模型組立キット。
【考案の詳細な説明】
【技術分野】
【０００１】
本考案は、例えば玩具や教材などに使用して好適な立体模型組立キットに関するものである。
【背景技術】
【０００２】
従来より、複数の部品を嵌め合わせて立体物を組み立てる立体模型組立キットが種々提案されている。例えばそのようなものとして特開２００９−１１９０７０号公報の立体物組立キットなどがある。
【０００３】
しかし、この種の立体物組立キットは、組み立てられた立体物が構造的に脆弱であるため、組み立てられた立体物が壊れ易く、立体物としての長期使用が困難であった。
【先行技術文献】
【特許文献】
【０００４】
【特許文献１】特開２００９−１１９０７０号公報
【考案の概要】
【考案が解決しようとする課題】
【０００５】
そこで、本考案の課題は、堅牢で強固な立体物を構成でき、組み立てられた立体物を長期に渡って使用可能な立体模型組立キットを提供することにある。
【課題を解決するための手段】
【０００６】
上記課題を解決するものは、軸方向に相対的に移動させて組み付け交叉する芯部を構成する複数の芯部構成用板状体と、軸方向に交叉する方向に沿って前記芯部構成用板状体に組み付けられる複数の側部構成板状体と、複数の前記側部構成板状体に渡って組み付けられる係止用板状体とを有していることを特徴とする立体模型組立キットである。
【０００７】
前記側部構成板状体は、異なる方向から重なるように前記芯部構成用板状体に組み付けられるものであることが好ましい。前記芯部構成用板状体は直交する芯部を構成し、前記側部構成板状体は、軸方向に対して直交する方向に前記芯部構成用板状体に組み付けられ、前記係止用板状体は、前記側部構成板状体の延在方向に対して直交する方向に組み付けられるものであることが好ましい。前記複数の係止用板状体は、それぞれ軸に向かって組み付けられると共に軸を中心として等角度離間して組み付けられるものであることが好ましい。前記立体模型組立キットによって組み立てられる立体模型は外形が球形であってもよい。前記立体模型組立キットは、前記芯部構成用板状体、前記側部構成板状体および前記係止用板状体はそれぞれが打ち抜き加工された段ボール紙にて形成されていることが好ましい。前記芯部構成用板状体、前記側部構成板状体および前記係止用板状体は段ボール紙を２つ折りして組立部材に形成されるものであってもよい。
【考案の効果】
【０００８】
請求項１に記載した考案によれば、堅牢で強固な立体物を構成でき、組み立てられた立体物を長期に渡って使用可能な立体模型組立キットとなる。
請求項２に記載した考案によれば、より堅牢で強固な立体物を構成できる。
請求項３に記載した考案によれば、より堅牢で強固な立体物を構成できる。
請求項４に記載した考案によれば、より堅牢で強固な立体物を構成できる。  
請求項５に記載した考案によれば、より堅牢で強固な球状物を構成できる。
請求項６に記載した考案によれば、上記効果を奏する立体模型組立キットをより低廉に構成できる。
請求項７に記載した考案によれば、より堅牢で強固な立体物を構成できる。
【図面の簡単な説明】
【０００９】
【図１】本考案の立体模型組立キットの一実施例によって組み立てられた立体模型の斜視図である。
【図２】図１に示した立体模型組立キットの展開図である。
【図３】図１に示した立体模型組立キットの作用を説明するための斜視図である。
【図４】図１に示した立体模型組立キットの作用を説明するための斜視図である。
【図５】図１に示した立体模型組立キットの作用を説明するための斜視図である。
【図６】図１に示した立体模型組立キットの作用を説明するための斜視図である。
【図７】図１に示した立体模型組立キットの作用を説明するための斜視図である。
【考案を実施するための形態】
【００１０】
本考案は、軸方向に相対的に移動させて組み付け交叉する芯部を構成する芯部構成用板状体２，３と、軸方向に交叉する方向に沿って芯部構成用板状体２，３に組み付けられる複数の側部構成板状体４，５，６と、複数の側部構成板状体４，５，６に渡って組み付けられる係止用板状体７とを有することで、堅牢で強固な立体物を構成でき、組み立てられた立体物を長期に渡って使用可能な立体模型組立キット１を実現した。
【実施例１】
【００１１】
本考案の立体模型組立キットを図１ないし図７に示した一実施例を用いて説明する。
この実施例の立体模型組立キット１は、図１または図２に示すように、軸方向に相対的に移動させて組み付け交叉する芯部を構成する一対の芯部構成用板状体２，３と、軸方向に交叉する方向に沿って芯部構成用板状体２，３に組み付けられる複数の側部構成板状体４，５，６と、複数の側部構成板状体４，５，６に渡って組み付けられる係止用板状体７とを有している。以下、各構成について順次詳述する。
【００１２】
立体模型組立キット１は段ボール紙にて形成されており、図２に示すように、２枚の芯部構成用板状体２，３と、サイズが異なる３種類の側部構成板状体４，５，６が各４枚計１２枚と、４枚の係止用板状体７が、それぞれ打ち抜き加工によって切り離し容易に形成されている。そして、立体模型組立キット１は、図１に示すように、組み立てられた立体模型３０の外形が球形となるものである。
【００１３】
立体模型組立キット１を構成する芯部構成用板状体２，３、側部構成板状体４，５，６および係止用板状体７は、図３に示すように、いずれも組立前に中央に設けられた折れ線８に沿って折り畳んで重ね合わせ段ボール紙４０の２倍の厚みの各組立部材を形成するように構成されている。これによって、より堅牢で強固な立体模型３０を構成できる。なお、図３中において、芯部構成用板状体３は芯部構成用板状体２と同一形状であるため省略されており、側部構成板状体５，６は側部構成板状体４とサイズが異なるが同一形態であるため省略されている。芯部構成用板状体３および側部構成板状体５，６も芯部構成用板状体２や側部構成板状体４と同様に折り畳んで重ね合わせ組立部材を形成するよう構成されている。
【００１４】
芯部構成用板状体は、立体模型３０の芯部を構成する部材であり、一対の芯部構成用板状体２，３からなり、軸方向に相対的に移動させて組み付け交叉する芯部を構成するものである。
【００１５】
具体的には、この実施例の芯部構成用板状体２，３は、図２に示すように、２つの円形の板状体を折れ線８で団子状に連結した形態を有しており、これらを図３のように折れ線８で折り畳むことにより、図４に示すように、円形の芯部構成部材がそれぞれ構成される。
【００１６】
芯部構成用板状体２，３は、図４に示すように、軸Ｐ方向に沿って嵌合用スリット９ａ，９ｂをそれぞれ有しており、両者２，３を軸Ｐ方向に相対的に移動させて嵌合用スリット９ａ，９ｂ同士を嵌め合わせることにより、図５に示すような交叉（直交）する芯部１０を構成することができる。このように、本考案の立体模型組立キット１は、一対の芯部構成用板状体２，３からなる芯部１０を有することにより、組み立てられる立体模型３０を堅牢で強固なものにすることができる。
【００１７】
また、芯部構成用板状体２，３は、図４に示すように、軸Ｐに直交する方向にそれぞれ延在し、側部構成板状体４，５，６を嵌め入れるための側部構成板状体嵌入用スリット１１ａ，１１ｂ，１２ａ，１２ｂ，１３ａ，１３ｂを有している。
【００１８】
側部構成板状体４，５，６は、立体模型３０の側部を構成する部材であり、図２に示すように、略円形に形成され折れ線８に沿って２つ折りにすることにより、図５に示すように略半円となり、この状態で芯部構成用板状体２，３により構成された芯部１０に組み付けられる。
【００１９】
側部構成板状体５は、側部構成板状体嵌入用スリット１２ａ，１２ｂに嵌め入れる側部構成板状体であるため半径が最も大きく、側部構成板状体４は側部構成板状体６より内側に嵌め入れるため、側部構成板状体６より若干大きい半径を有する部材に構成されている。
【００２０】
側部構成板状体４，５，６は、図５に示すように、中央部に芯部構成用板状体２，３の側部構成板状体嵌入用スリット１１ａ，１１ｂ，１２ａ，１２ｂ，１３ａ，１３ｂと嵌め合わせるための嵌合用スリット１４をそれぞれ有している。
【００２１】
また、側部構成板状体４，５，６は、係止用板状体７を嵌め入れるための係止用板状体嵌入用スリット１５を有している。なお、この係止用板状体嵌入用スリット１５は外縁から中心点に向かう方向に延在するように２本設けられている。
【００２２】
係止用板状体７は、複数の側部構成板状体４，５，６を係止して配置された位置に保持するための部材であり、立体模型３０はこのような係止用板状体７を有することによって堅牢かつ強固に構成される。
【００２３】
係止用板状体７は、図２に示すように、略円形に形成され、折れ線８に沿って２つ折りにすることにより、図７に示すように略半円となり、この状態で側部構成板状体４，５，６に渡たり軸Ｐに向かって９０°離間して四方から組み付けられる。
【００２４】
また、係止用板状体７は、側部構成板状体４，５，６の係止用板状体嵌入用スリット１５に嵌め合わせるための３本の嵌合用スリット１６ａ，１６ｂ，１６ｃをそれぞれ有している。
【００２５】
つぎに、本考案の立体模型組立キット１から立体模型３０を組み立てる手順について説明する。
まず、図２に示した段ボール紙４０からそれぞれ打ち抜き加工された一対の芯部構成用板状体２，３、側部構成板状体４，５，６および係止用板状体７を取り外す。つぎに、図３に示すように、芯部構成用板状体２，３、側部構成板状体４，５，６および係止用板状体７を折れ線８に沿って折り畳み、各種組立て部材を形成する。さらに、図４に示すように、芯部構成用板状体２，３を嵌め合わせて芯部１０を構成する。
【００２６】
そして、この芯部１０の芯部構成用板状体３に対して、図５に示すように、側部構成板状体４，５，６を図中ｍ方向に沿って両側から嵌め込む。具体的には、芯部構成用板状体３の側部構成板状体嵌入用スリット１１ａ，１１ｂに側部構成板状体４の嵌合用スリット１４をそれぞれ両側から嵌め合わせ、芯部構成用板状体３の側部構成板状体嵌入用スリット１２ａ，１２ｂに側部構成板状体５の嵌合用スリット１４をそれぞれ両側から嵌め合わせ、芯部構成用板状体３の側部構成板状体嵌入用スリット１３ａ，１３ｂに側部構成板状体６の嵌合用スリット１４をそれぞれ両側から嵌め合わせて、芯部構成用板状体３に側部構成板状体４，５，６を組み付ける。
【００２７】
さらに、この芯部１０の芯部構成用板状体２に対して、図６に示すように、側部構成板状体６，５，４を図中Ｓ方向に沿って両側から嵌め込む。具体的には、芯部構成用板状体２の側部構成板状体嵌入用スリット１１ａ，１１ｂに側部構成板状体６の嵌合用スリット１４をそれぞれ両側から嵌め合わせ、芯部構成用板状体３の側部構成板状体嵌入用スリット１２ａ，１２ｂに側部構成板状体５の嵌合用スリット１４をそれぞれ両側から嵌め合わせ、芯部構成用板状体３の側部構成板状体嵌入用スリット１３ａ，１３ｂに側部構成板状体４の嵌合用スリット１４をそれぞれ両側から嵌め合わせて、芯部構成用板状体２に側部構成板状体６，５，４を組み付ける。
【００２８】
なお、図６中Ｓ方向はｍ方向に対して軸Ｐを中心軸として直交する方向であり、このように、側部構成板状体４，５，６を異なる方向ｍ，Ｓから重なるように芯部１０に組み付けることによって、より堅牢かつ強固な立体模型３０を構成できる。また、Ｓ方向から嵌め入れる側部構成板状体６，５，４は、ｍ方向から嵌め入れた側部構成板状体４，５，６の上面に重ねて嵌め入れる。
【００２９】
最後に、図７に示すように、係止用板状体７を側部構成板状体４，５，６に渡たって軸Ｐに向かって９０°離間して四方から組み付ける。具体的には、係止用板状体７は、側部構成板状体４，５，６の係止用板状体嵌入用スリット１５に３本の嵌合用スリット１６ａ，１６ｂ，１６ｃをそれぞれ嵌め合わせて組み付ける。以上により図１に示した球形の立体模型３０を組み立てることができる。
【００３０】
本考案の立体模型組立キットは、玩具、教材、リハビリ用グッズ、ノベルティー、書籍等の付録、イベンドグッズなどに広く使用することができる。また、組立てられた立体模型は、その堅牢で強固な性質を利用して、置物、球技用ボール、各種スペーサー、建材、骨組み材などに広く使用することができる。
【００３１】
なお、この実施例の立体模型組立キット１は段ボール紙にて形成されているが、これに限定されるものではなく、プラスチック製段ボールにて形成されたものも本考案の範疇に包含される。また、この実施例の立体模型組立キット１は段ボールにて形成されたものに限定されるものではなく、例えば厚紙、段ボール以外の板紙、樹脂材料、木質系材料、金属材料などにて形成されたものも本考案の範疇に包含される。
【００３２】
さらに、この実施例の立体模型組立キット１は、組み立てられた立体模型３０の外形が球形となるものであるが、これに限定されるものではなく、立方体等他の幾何学的立体や、建造物や動物等の擬態など変形した立体物に組み立てられるものも本考案の範疇に包含される。
【００３３】
さらに、この実施例の立体模型組立キット１は、各パーツを折り畳んで重ね合わせ段ボール紙４０の２倍の厚みに形成しているが、折り畳まないままで組立部材の形状を構成しているものも本考案の範疇に包含される。
【００３４】
さらに、この実施例の立体模型組立キット１は、組み立てられる立体模型３０が一対の芯部構成用板状体２，３からなる直交する芯部１０を有するものであるが、一対の芯部構成用板状体が直交するものに限定されず、交叉するものを広く包含する。
【００３５】
さらに、この実施例の芯部構成用板状体２，３の側部構成板状体嵌入用スリット１１ａ，１１ｂ，１２ａ，１２ｂ，１３ａ，１３ｂは、軸Ｐ方向に直交する方向に設けられているが、これに限定されるものではなく、軸Ｐ方向に交叉する方向に延在するように設けられたものを広く包含する。
【００３６】
さらに、この実施例の係止用板状体７は、側部構成板状体４，５，６の延在方向に対して直交する方向に組み付けられるが、これに限定されるものではなく、側部構成板状体４，５，６の延在方向に対して交叉する方向に組み付けられるものを広く包含する。
【００３７】
さらに、この実施例の立体模型組立キット１は、芯部構成用板状体は２枚、側部構成板状体は１２枚、係止用板状体は４枚を有するものであるが、これに限定されるものではなく、それぞれが複数枚であるものは広く包含される。
【符号の説明】
【００３８】
１              立体模型組立キット
２，３          芯部構成用板状体
４，５，６      側部構成板状体
７              係止用板状体
８              折れ線
９ａ，９ｂ      嵌合用スリット
１０            芯部
１１ａ，１１ｂ  側部構成板状体嵌入用スリット
１２ａ，１２ｂ  側部構成板状体嵌入用スリット
１３ａ，１３ｂ  側部構成板状体嵌入用スリット
１４            嵌合用スリット
１５            係止用板状体嵌入用スリット
１６ａ          嵌合用スリット
１６ｂ          嵌合用スリット
１６ｃ          嵌合用スリット
３０            立体模型
４０            段ボール紙
【図１】
0003170111.tif 000003
【図２】
0003170111.tif 000004
【図３】
0003170111.tif 000005
【図４】
0003170111.tif 000006
【図５】
0003170111.tif 000007
【図６】
0003170111.tif 000008
【図７】
0003170111.tif 000009